(57)【要約】【課題】発電システムに関する情報がユーザに伝わる可能性の向上を図ること。【解決手段】電力情報システム２は、発電システム１００における電力に関する通知情報を生成する。インタフェースシステム３は、ユーザＵ１から入力情報を取得し、かつ当該入力情報の取得をトリガーとして出力情報を出力する。電力情報システム２又はインタフェースシステム３は、入力情報が、発電システム１００に関連する第１情報群に属するか、第１情報群以外の第２情報群に属するかを判定する判定部を有する。電力情報システム２は、少なくとも判定部において入力情報が第２情報群に属すると判定すると、インタフェースシステム３から出力情報として通知情報を出力させる。【選択図】図１
2020089241.tif 000002
【特許請求の範囲】
【請求項１】
電力を出力可能な発電システムにおける前記電力に関する通知情報を生成する電力情報システムと、
ユーザから入力情報を取得し、かつ当該入力情報の取得をトリガーとして出力情報を出力するインタフェースシステムと、
を備え、
前記電力情報システムは、前記インタフェースシステムと通信可能に接続され、
前記電力情報システム又は前記インタフェースシステムは、前記入力情報が、前記発電システムに関連する第１情報群に属するか、当該第１情報群以外の第２情報群に属するかを判定する判定部を有し、
前記電力情報システムは、少なくとも前記判定部において前記入力情報が前記第２情報群に属すると判定すると、前記インタフェースシステムから前記出力情報として前記通知情報を出力させる、
電力管理システム。
【請求項２】
前記電力情報システムは、前記入力情報が前記第２情報群に属し、かつ、第１条件及び第２条件のいずれかを満たした場合に、前記インタフェースシステムから前記通知情報を出力させて、
前記第１条件は、前記インタフェースシステムが所定の期間の中で初めて前記入力情報を取得することで、
前記第２条件は、前記判定部が前記所定の期間の中で初めて前記入力情報が前記第２情報群に属すると判定することである、
請求項１に記載の電力管理システム。
【請求項３】
前記電力情報システムは、特定の期間における天気の予報情報に基づいて、前記特定の期間における前記発電システムの発電電力を予測し、
前記通知情報は、予測される前記発電電力の過不足に関する情報を含む、
請求項１又は２に記載の電力管理システム。
【請求項４】
前記インタフェースシステムは、前記ユーザを識別する識別部を有し、
前記電力情報システムは、前記識別部における前記ユーザに関する識別結果に応じて、前記インタフェースシステムから前記通知情報を出力させるか否かを決定する、
請求項１〜３のいずれか１項に記載の電力管理システム。
【請求項５】
前記電力情報システムは、前記入力情報が前記第２情報群に属し、かつ、特定条件を満たした場合に、前記インタフェースシステムから前記通知情報を出力させて、
前記特定条件は、前記識別結果に基づき、前記ユーザから規定の期間の中で初めて前記入力情報を取得したと判断されることである、
請求項４に記載の電力管理システム。
【請求項６】
前記インタフェースシステムは、
前記ユーザからの音声入力を前記入力情報として取得する取得部と、
前記通知情報を前記出力情報として音声出力する出力部と、
を有する、
請求項１〜５のいずれか１項に記載の電力管理システム。
【請求項７】
前記インタフェースシステムは、
前記ユーザからの所定の操作入力を前記入力情報として取得する取得部と、
前記通知情報を前記出力情報として表示する表示部と、
を有する、
請求項１〜５のいずれか１項に記載の電力管理システム。
【請求項８】
前記インタフェースシステムは、前記入力情報に応答する応答情報と、前記通知情報との両方を、前記出力情報として出力する、
請求項１〜７のいずれか１項に記載の電力管理システム。
【請求項９】
前記通知情報は、階層化された情報であり、少なくとも上位情報と下位情報とを含み、
前記電力情報システムは、
前記判定部において前記入力情報が前記第２情報群に属すると判定すると、前記インタフェースシステムから前記上位情報を出力させて、
前記ユーザから前記上位情報に対する要求を受けると、前記インタフェースシステムから前記下位情報を出力させる、
請求項１〜８のいずれか１項に記載の電力管理システム。
【請求項１０】
前記電力情報システムは、前記通知情報に関する設定を受け付ける設定部を有する、
請求項１〜９のいずれか１項に記載の電力管理システム。
【請求項１１】
請求項１〜１０のいずれか１項に記載の電力管理システムに適用される電力情報システムであって、
前記判定部を有し、かつ、前記入力情報を前記インタフェースシステムから受信する、
電力情報システム。
【請求項１２】
請求項１〜１０のいずれか１項に記載の電力管理システムに適用されるインタフェースシステムであって、
前記判定部を有し、かつ、前記通知情報を要求する要求信号を前記電力情報システムに送信する、
インタフェースシステム。
【請求項１３】
電力管理システムの制御方法であって、
電力を出力可能な発電システムにおける前記電力に関する通知情報を生成する生成ステップと、
ユーザから入力情報を取得する取得ステップと、
前記入力情報の取得をトリガーとして出力情報を出力する出力ステップと、
前記入力情報が、前記発電システムに関連する第１情報群に属するか、当該第１情報群以外の第２情報群に属するかを判定する判定ステップと、
を有し、
少なくとも前記判定ステップにおいて前記入力情報が前記第２情報群に属すると判定すると、前記出力ステップにおいて前記出力情報として前記通知情報を出力する、
制御方法。
【請求項１４】
コンピュータシステムに請求項１３に記載の制御方法を実行させる、
プログラム。
【発明の詳細な説明】
【技術分野】
【０００１】
本開示は、一般に、電力管理システム、電力情報システム、インタフェースシステム、制御方法、及びプログラムに関する。本開示は、より詳細には、発電システムの電力を管理する電力管理システム、当該電力管理システムに適用される電力情報システム、当該電力管理システムに適用されるインタフェースシステム、当該電力管理システムの制御方法、及びプログラムに関する。
【背景技術】
【０００２】
従来例として、特許文献１に記載の太陽光発電システム用のモニター装置を例示する。太陽光発電システムは、太陽光発電部と、電力管理を行う電力管理部とを具備し、商用電源と太陽光発電部とが宅内の分電盤に接続され、エアコン等の住宅内の電気機器等の電力負荷に交流電力を供給する。そして電力管理部は、太陽光発電システム用のモニター装置を備える。モニター装置は、売買電力情報、発電電力情報、及び消費電力情報等の各種情報を、表示部を構成するモニター画面である液晶ディスプレイに表示する。そして、モニター装置は、各種電力情報が予め決められた条件を満たした場合、表示部が消灯状態である場合にも、目視及び音声で通知を行う。
【先行技術文献】
【特許文献】
【０００３】
【特許文献１】特開２０１６−１０２４２号公報
【発明の概要】
【発明が解決しようとする課題】
【０００４】
ところで、特許文献１に記載のモニター装置では、ユーザが太陽光発電システム（発電システム）に関する情報の通知に気づかない可能性がある。すなわち、モニター装置が上記情報の通知を実行したタイミングで、ユーザがモニター装置の傍に居る可能性が高いとは言えない。特に、モニター装置の導入後、時間の経過に伴ってモニター装置に対するユーザの関心は、次第に薄れ始める可能性がある。そのため、モニター装置上で通知が実行されていても、通知に気づかない可能性がある。
【０００５】
本開示は上記事由に鑑みてなされ、発電システムに関する情報がユーザに伝わる可能性の向上を図ることができる、電力管理システム、電力情報システム、インタフェースシステム、制御方法、及びプログラムを提供することを目的とする。
【課題を解決するための手段】
【０００６】
本開示の一態様に係る電力管理システムは、電力情報システムと、インタフェースシステムと、を備える。前記電力情報システムは、電力を出力可能な発電システムにおける前記電力に関する通知情報を生成する。前記インタフェースシステムは、ユーザから入力情報を取得し、かつ当該入力情報の取得をトリガーとして出力情報を出力する。前記電力情報システムは、前記インタフェースシステムと通信可能に接続される。前記電力情報システム又は前記インタフェースシステムは、前記入力情報が、前記発電システムに関連する第１情報群に属するか、当該第１情報群以外の第２情報群に属するかを判定する判定部を有する。前記電力情報システムは、少なくとも前記判定部において前記入力情報が前記第２情報群に属すると判定すると、前記インタフェースシステムから前記出力情報として前記通知情報を出力させる。
【０００７】
本開示の一態様に係る電力情報システムは、上記の電力管理システムに適用される。前記電力情報システムは、前記判定部を有し、かつ、前記入力情報を前記インタフェースシステムから受信する。
【０００８】
本開示の一態様に係るインタフェースシステムは、上記の電力管理システムに適用される。前記インタフェースシステムは、前記判定部を有し、かつ、前記通知情報を要求する要求信号を前記電力情報システムに送信する。
【０００９】
本開示の一態様に係る制御方法は、電力管理システムの制御方法である。前記制御方法は、生成ステップと、取得ステップと、出力ステップと、判定ステップと、を有する。前記生成ステップにて、電力を出力可能な発電システムにおける前記電力に関する通知情報を生成する。前記取得ステップにて、ユーザから入力情報を取得する。前記出力ステップにて、前記入力情報の取得をトリガーとして出力情報を出力する。前記判定ステップにて、前記入力情報が、前記発電システムに関連する第１情報群に属するか、当該第１情報群以外の第２情報群に属するかを判定する。少なくとも前記判定ステップにおいて前記入力情報が前記第２情報群に属すると判定すると、前記出力ステップにおいて前記出力情報として前記通知情報を出力する。
【００１０】
本開示の一態様に係るプログラムは、コンピュータシステムに上記の制御方法を実行させる。
【発明の効果】
【００１１】
本開示によれば、発電システムに関する情報がユーザに伝わる可能性の向上を図ることができる、という利点がある。
【図面の簡単な説明】
【００１２】
【図１】図１は、一実施形態に係る電力管理システムの概略構成図である。
【図２】図２Ａは、一実施形態に係る電力情報システムの計測装置のブロック構成図である。図２Ｂは、一実施形態に係るインタフェースシステムのユーザインタフェースのブロック構成図である。図２Ｃは、同上のインタフェースシステムの第１サーバのブロック構成図である。
【図３】図３は、同上の電力管理システムの動作を説明するための図である。
【図４】図４は、同上の電力管理システムの変形例１の概略構成図である。
【図５】図５は、同上の変形例１のユーザインタフェースのブロック構成図である。
【発明を実施するための形態】
【００１３】
（１）概要
以下の実施形態において説明する各図は、模式的な図であり、各図中の各構成要素の大きさ及び厚さそれぞれの比が、必ずしも実際の寸法比を反映しているとは限らない。
【００１４】
本実施形態に係る電力管理システム１は、図１に示すように、電力情報システム２と、インタフェースシステム３と、を備えている。
【００１５】
電力情報システム２は、電力を出力可能な発電システム１００における当該電力に関する通知情報を生成する。本実施形態では、発電システム１００は、パワーコンディショナ１０１と分散型電源１０２とを含む。
【００１６】
以下では、分散型電源１０２は、太陽電池を有していることを想定する。ただし、分散型電源１０２は、太陽電池の代わりに、又は太陽電池に加えて、蓄電池、燃料電池、例えば、化石エネルギーを利用するエンジン（ディーゼルエンジン、ガソリンエンジン、ガスタービンエンジンなど）等を有していてもよい。分散型電源１０２が、太陽電池と蓄電池とを有している場合、発電システム１００は、創蓄連係システムであってもよい。
【００１７】
発電システム１００における「電力に関する通知情報」とは、例えば、電力に関して計測された物理量の情報を含んでもよい。物理量は、例えば、太陽電池（分散型電源１０２）の発電量（ｋＷｈ）や、パワーコンディショナ１０１の変換効率（出力電力／入力電力）等でもよい。物理量は、瞬時電力（ｋＷ）でもよい。発電量は、時間単位、日単位、又は月単位の量でもよい。また「電力に関する通知情報」は、計測された物理量に基づく発電システム１００の状態（出力電力の低下状態、故障状態等）の情報を含んでもよい。
【００１８】
インタフェースシステム３は、ユーザＵ１（図１参照）から入力情報を取得し、かつ当該入力情報の取得をトリガーとして出力情報を出力する。インタフェースシステム３は、ユーザインタフェース３０を有している。本実施形態では、ユーザインタフェース３０が、人工知能（ＡＩ：Artificial Intelligence）技術を適用したスマートスピーカ（いわゆる「ＡＩスピーカ」）であることを想定する。すなわち、ユーザインタフェース３０は、対話型の音声入力に対応したスピーカである。
【００１９】
電力情報システム２は、インタフェースシステム３と通信可能に接続される。電力情報システム２又はインタフェースシステム３は、入力情報が、発電システム１００に関連する第１情報群に属するか、当該第１情報群以外の第２情報群に属するかを判定する判定部Ｘ１（図２Ｃ参照）を有している。本実施形態では一例として、インタフェースシステム３が、判定部Ｘ１を有しているものとする。
【００２０】
本開示で言う「入力情報が第１情報群（又は第２情報群）に属する」とは、「入力情報が第１情報群（又は第２情報群）に該当する」という概念だけでなく「入力情報に対する最適解（応答）が第１情報群（又は第２情報群）に該当する」という概念も含む。
【００２１】
電力情報システム２は、少なくとも判定部Ｘ１において入力情報が第２情報群に属すると判定すると、インタフェースシステム３から出力情報として通知情報を出力させる。言い換えると、通知情報を出力するための最低条件が、「判定部Ｘ１において入力情報が第２情報群に属すると判定する」ことである。以下では、この条件を「基本条件」と呼ぶこともある。基本条件を満たさない限り、通知情報は、出力されない。逆に、基本条件を満たしたとしても、付加的な条件（後述する第１条件、第２条件及び特定条件等）が設定されている場合には、全ての条件が満たされた場合のみ、通知情報は、出力される。
【００２２】
この構成によれば、入力情報が、発電システム１００に関連する第１情報群以外の第２情報群に属する場合に、入力情報の取得をトリガーとして通知情報が出力される。したがって、発電システム１００に関する情報がユーザＵ１に伝わる可能性の向上を図ることができる。
【００２３】
（２）詳細
（２．１）全体構成
以下、本実施形態の電力管理システム１について、図１〜図３を参照して詳しく説明する。
【００２４】
電力管理システム１は、上述の通り、電力情報システム２、及びインタフェースシステム３を備えている。また電力管理システム１は、図１に示すように、発電システム１００、分電盤１０３、１又は複数の負荷１０５（図示例では１つのみ）、ルータ４、及び第２サーバ３２（天気予報サーバ）等を、更に備えている。電力管理システム１は、発電システム１００の電力を管理するシステムである。
【００２５】
（２．２）発電システム
以下、発電システム１００について簡単に説明する。
【００２６】
発電システム１００は、図１に示すように、電力の需要家の施設２００内に設置された負荷１０５と電気事業者（例えば電力会社）等の有する電力系統１０４とに電力を出力可能である。「電力系統１０４に電力を出力する」とは、余剰した余剰電力を電力系統１０４に逆潮流させて「売電する」ことを意味する。
【００２７】
ここでは施設２００は、戸建の住宅であることを想定する。したがって、ここで言うユーザＵ１とは、戸建の住宅の複数の住人（家族）のうちの一人に相当する。しかしながら、施設２００は、集合住宅（マンション）であってもよい。更に、施設２００は、住宅に限らず、非住宅、例えば、オフィスビル、劇場、映画館、公会堂、遊技場、複合施設、飲食店、百貨店、学校、ホテル、旅館、病院、老人ホーム、幼稚園、図書館、博物館、美術館、地下街、駅、空港等であってもよい。
【００２８】
発電システム１００は、上述の通り、パワーコンディショナ１０１（電力変換装置）と分散型電源１０２と有している。分散型電源１０２は、太陽電池を含む。分散型電源１０２は、更に蓄電池等を含んでもよい。
【００２９】
発電システム１００は、分電盤１０３を介して電力系統１０４に接続されている。分電盤１０３は、パワーコンディショナ１０１及び電力系統１０４の少なくとも一方から供給される電力を負荷１０５に出力する。パワーコンディショナ１０１は、直流−交流変換、及び交流−直流変換の双方向の電力変換を行うように構成されている。またパワーコンディショナ１０１は、電力情報システム２の（後述する）計測装置２０と通信可能に接続されている。
【００３０】
発電システム１００で発電される電力が、負荷１０５で消費する電力（すなわち自家消費電力）を超えている場合、余剰電力が生じる。負荷１０５が複数個ある場合、複数個の負荷１０５の消費電力の合計が、自家消費電力となる。また、余剰電力とは、発電システム１００の発電電力から消費する電力を引いた電力である。
【００３１】
発電システム１００が、分電盤１０３を介して、余剰電力を電力系統１０４に出力することにより（逆潮流電力の発生）、発電システム１００を所有する需要家は、電気事業者に電力を売ることができる。
【００３２】
ここで言う負荷１０５は、例えば電気機器からなる。図示例では、負荷１０５の数は１個であるが、一般的な戸建ての住宅内に設置されている電気機器であることを考慮すれば、複数個であってもよい。具体的には、負荷１０５は、例えば、電気給湯器、冷蔵庫、エアコンディショナ、洗濯機、炊飯器、電気暖房器具、風呂用の電気湯沸かし器等に該当してもよい。
【００３３】
（２．３）インタフェースシステム
インタフェースシステム３は、電力管理システム１に適用され得る。インタフェースシステム３は、ユーザＵ１から入力情報を取得し、かつ当該入力情報の取得をトリガーとして出力情報を出力するように構成されている。
【００３４】
インタフェースシステム３は、１又は複数のユーザインタフェース３０と、当該ユーザインタフェース３０を管理する１又は複数の第１サーバ３１（解析サーバ）と、を有している。ここでは説明の便宜上、ある１つの施設２００に着目しているため、ユーザインタフェース３０が１つであるものとする。しかし、複数の施設２００の各々に、１つのユーザインタフェース３０があり、１つの第１サーバ３１が、複数の施設２００の複数のユーザインタフェース３０を一括的に管理してもよい。
【００３５】
ユーザインタフェース３０は、上述の通り、一例としてスマートスピーカである。ユーザインタフェース３０は、例えば、施設２００内の複数の住人（複数のユーザＵ１）が比較的集まり易い居間等に配置されている。ユーザインタフェース３０が複数あり、それらが施設２００内の複数の部屋に分散的に配置されてもよい。
【００３６】
ユーザインタフェース３０は、図２Ｂに示すように、取得部３００と出力部３０１とを有している。取得部３００は、ユーザＵ１からの音声入力を入力情報として取得するマイクロフォンである。出力部３０１は、入力情報に応答する応答情報を、出力情報として音声出力するスピーカである。ただし、出力部３０１は、通知情報も、出力情報として音声出力し得る。言い換えると、出力部３０１は、応答情報のみを出力する場合もあれば、通知情報のみを出力する場合もあれば、応答情報と通知情報との両方を出力する場合もある。
【００３７】
ユーザインタフェース３０は、図２Ｂに示すように、制御部３０２、及び通信部３０３を更に有している。
【００３８】
制御部３０２は、例えば、プロセッサ及びメモリを有するコンピュータシステムを有している。そして、プロセッサがメモリに格納されているプログラムを実行することにより、コンピュータシステムが制御部３０２として機能する。プロセッサが実行するプログラムは、ここではコンピュータシステムのメモリに予め記録されているが、メモリカード等の記録媒体に記録されて提供されてもよいし、インターネット等の電気通信回線を通じて提供されてもよい。制御部３０２は、例えば、音声の録音、加工、及び変換等を行う機能を有している。
【００３９】
通信部３０３は、ルータ４を介して、第１サーバ３１と通信するための通信インタフェースである。通信部３０３は、制御部３０２の制御下で、録音されたユーザＵ１からの音声（入力情報）を、第１サーバ３１に送信する。
【００４０】
ルータ４は、施設２００内に設置されて、例えば、Ｗｉ−Ｆｉ（登録商標）等の無線通信方式により、ユーザインタフェース３０の通信部３０３、計測装置２０、及び表示装置２１と、無線接続される。またルータ４は、インターネット等のネットワークＮＴ１に接続されていて、施設２００の外部にある第１サーバ３１、及び第２サーバ３２等と通信可能である。
【００４１】
第１サーバ３１は、ＡＩアシスタント機能を有するサーバ装置である。第１サーバ３１は、クラウド（クラウドコンピューティング）を構築していてもよい。第１サーバ３１は、音声認識を行う機能を有している。第１サーバ３１は、例えば、ユーザインタフェース３０から入力された音声（入力情報）に対する認識結果について、ディープラーニングによって応答の最適解を常に機械学習している制御部３１０を有している。
【００４２】
制御部３１０は、例えば、プロセッサ及びメモリを有するコンピュータシステムを有している。そして、プロセッサがメモリに格納されているプログラムを実行することにより、コンピュータシステムが制御部３１０として機能する。プロセッサが実行するプログラムは、ここではコンピュータシステムのメモリに予め記録されているが、メモリカード等の記録媒体に記録されて提供されてもよいし、インターネット等の電気通信回線を通じて提供されてもよい。
【００４３】
第１サーバ３１の制御部３１０は、入力情報を受け取った時点での最適解を、ルータ４を介して、ユーザインタフェース３０から、入力情報に応答する「応答情報」として出力する。特に、制御部３１０は、図２Ｃに示すように、識別部３１１を有している。言い換えると、制御部３１０は、識別部３１１としての機能を有している。
【００４４】
識別部３１１は、ユーザＵ１を識別するように構成されている。識別部３１１は、ユーザインタフェース３０から入力された音声（入力情報）に基づいて、音声入力を行ったユーザＵ１を識別する。制御部３１０は、例えば、自身のメモリに、施設２００内の複数の住人（家族）全員分の音声データを予め記憶している。識別部３１１は、そのメモリを参照して、音声入力を行ったユーザＵ１が、誰であるか（例えば、父親か、母親か、子供か等の類別）を識別する。
【００４５】
第１サーバ３１は、ネットワークＮＴ１に接続されている様々なプラットフォーム上のサービスを利用可能となっている。第２サーバ３２は、そのようなサービスを提供する複数のサーバ装置の１つに相当し、例えば、天気の予報情報の発信をサービスとして提供しているサーバ装置である。第１サーバ３１は、入力情報が天気の予報情報の要求に関するものと認識した場合、第２サーバ３２にその要求を行い、予報情報を取得する。
【００４６】
ユーザインタフェース３０は、対話型の音声入力に対応したスピーカであるため、様々な入力情報が存在し得る。第１サーバ３１の制御部３１０は、ユーザＵ１の入力情報に対して、人工知能により自然言語理解処理を行う。具体的には、制御部３１０は、入力情報から、ユーザＵ１が何を望んで発話したかを理解するための意図分類処理を行ったり、入力情報に含まれている要素（名称、場所、時間等）を抽出するための要素抽出処理を行ったりする。そして制御部３１０は、ユーザＵ１との対話を成立させるために、意図と要素に対する最適解（文字データ）を求め、それを音声データに変換して、ユーザインタフェース３０から、音声により応答情報を出力する。
【００４７】
なお、ユーザインタフェース３０は、例えば、ユーザＵ１から、特定のキーワードを含む入力情報（音声入力）を取得すると、消費電力を抑えた待機状態から、通常の稼働状態に切り替わるように構成されてもよい。
【００４８】
ここで第１サーバ３１の制御部３１０は、図２Ｃに示すように、判定部Ｘ１を更に有している。言い換えると、制御部３１０は、判定部Ｘ１としての機能を有している。
【００４９】
判定部Ｘ１は、入力情報（文字データ）が、発電システム１００に関連する第１情報群に属するか、当該第１情報群以外の第２情報群に属するかを判定（以下、判定処理と呼ぶこともある）するように構成されている。ここでは判定部Ｘ１は、入力情報が、第１情報群に該当するか、第２情報群に該当するかを判定するが、上述の通り、得られた最適解が、第１情報群に該当するか、第２情報群に該当するかを判定してもよい。
【００５０】
まず第１情報群について説明する。第１情報群は、発電システム１００に関連する情報の集まりである。電力を連想させる多数の用語（類似語）は、第１情報群として制御部３１０のメモリ内に予め記憶されてもよいし、制御部３１０が、プラットフォーム上のサービスを利用して随時最新の類似語をダウンロードしてもよい。用語の一例は、電力（量）、電気（量）、ワット、キロワット、放電（量）、充電（量）、発電（量）、電圧（値）、電流（値）、太陽電池、太陽光等である。判定部Ｘ１は、入力情報に第１情報群の用語が１つでも含まれていれば、入力情報が第１情報群に属すると判定する。
【００５１】
次に第２情報群について説明する。第２情報群は、第１情報群以外の情報の集まりである。第２情報群は、例えば、「おはよう」、「おやすみ」等の日常会話に相当する用語を含み得る。また第２情報群は、待機状態から稼働状態に切り替えるための特定のキーワードを含み得る。その他にも、第２情報群は、音楽や動画の再生要求、天気予報やニュースの読み上げ要求、電子メール等の送受信要求、及び、ＩｏＴ（Internet of Things）機器（テレビジョン、照明機器等）の制御要求に関する用語を含み得る。ここでは判定部Ｘ１は、入力情報に第１情報群の用語が１つも含まれていなければ、入力情報が第２情報群に属すると判定する。
【００５２】
ただし、判定部Ｘ１は、入力情報に第２情報群の用語が１つでも含まれていれば、入力情報が第２情報群に属すると判定してもよい。また、もし入力情報に、第１情報群の用語及び第２情報群の用語の両方が含まれている場合、判定部Ｘ１は、例えば優先的に、入力情報が第２情報群に属すると判定してもよい。
【００５３】
第１サーバ３１は、ルータ４を介して、判定部Ｘ１における判定結果を、電力情報システム２の計測装置２０に送信する。ここでは一例として、判定結果が「入力情報が第２情報群に属する」場合のみ、第１サーバ３１は、通知情報の要求信号を、電力情報システム２の計測装置２０に送信する。言い換えると、判定結果が「入力情報が第１情報群に属する」場合、通知情報の要求信号は、送信されない。第１サーバ３１は、通知情報の要求信号に、識別部３１１の識別結果（ユーザＵ１の類別）、及び入力情報を取得したタイムスタンプ等を含めた上で計測装置２０に送信する。
【００５４】
ただし、第１サーバ３１は、意図分類処理を通じて、ユーザＵ１が実際に電力、特に発電システム１００の発電量等について質問していると理解すると、最適解として、発電量に関する情報を、電力情報システム２へ要求する必要がある。この場合、第１サーバ３１にとっては、第２サーバ３２に天気の予報情報を要求する場合と同様に、発電システム１００に最適解に必要な情報を要求する要求信号を送信する。
【００５５】
そして第１サーバ３１は、ルータ４を介して、通知情報（文字データ）を受け取ると、その内容を音声データに変換して、ユーザインタフェース３０から、音声により通知情報を出力する。ここではユーザインタフェース３０は、入力情報に応答する応答情報を先にユーザＵ１に返し、さらに応答情報の後に連続して通知情報を通知する。ただし、応答情報が、音楽等の再生であれば、音楽等の再生前に通知情報が通知されてもよい。
【００５６】
文字データから音声データへ、及び音声データから文字データへの変換機能は、第１サーバ３１ではなく、ユーザインタフェース３０にあってもよい。第１サーバ３１は、変換後の入力情報（文字データ）を、ユーザインタフェース３０から受信してもよい。また第１サーバ３１は、求めた最適解（文字データ）や計測装置２０から受け取った通知情報（文字データ）を、ユーザインタフェース３０に送信し、ユーザインタフェース３０にて音声データに変換させて音声出力させてもよい。
【００５７】
（２．４）電力情報システム
電力情報システム２は、電力管理システム１に適用され得る。電力情報システム２は、発電システム１００における電力に関する通知情報を生成するように構成されている。具体的には、電力情報システム２は、図１に示すように、計測装置２０を有している。計測装置２０は、図１では、分電盤１０３の外に配置されているが、分電盤１０３内に収容されてもよい。また電力情報システム２は、表示装置２１を更に備えているが、表示装置２１は、電力情報システム２にとって必須の構成要素ではなく、適宜に省略されてもよい。
【００５８】
計測装置２０は、有線によって（無線でもよい）パワーコンディショナ１０１と通信可能に接続されている。計測装置２０は、パワーコンディショナ１０１から、発電システム１００に関する情報を含む電気信号を定期的に受信する。「発電システム１００に関する情報」とは、例えば、分散型電源１０２の発電量、パワーコンディショナ１０１の変換効率に関する情報等であり、以下では、単に「発電情報」と呼ぶこともある。計測装置２０は、発電情報に基づいて、ユーザＵ１に通知するべき通知情報（例えば文字データ）を生成する。なお、通知情報の詳細は後述する。
【００５９】
また計測装置２０は、分電盤１０３における主幹回路、及び複数の分岐回路を流れる電流を監視するように構成されてもよい。計測装置２０は、例えば、主幹回路の計測点を流れる主幹電流を計測する主幹電流センサ、及び各分岐回路を流れる分岐電流を計測する分岐電流センサと、信号ケーブルを介して電気的に接続される。計測装置２０は、各電流センサから電気信号を取得し、その電気信号に基づいて、電流（例えば電流波形、実効値等）を求める。計測装置２０は、主幹電流センサから取得した電流値と、電圧センサから取得した主幹回路の電圧値とを用いて、主幹回路を通過する電力（受電電力、又は逆潮流電力）を求めてもよい。
【００６０】
ここで計測装置２０は、図２Ａに示すように、制御部２１０と、通信部２２０とを備えている。
【００６１】
通信部２２０は、ルータ４を介して、インタフェースシステム３の第１サーバ３１と通信するための通信インタフェースを含む。言い換えると、電力情報システム２は、インタフェースシステム３と通信可能に接続される。通信部２２０は、制御部２１０の制御下にて、第１サーバ３１から、判定部Ｘ１の判定結果、識別部３１１の識別結果、及びタイムスタンプ等を受信する。また通信部２２０は、制御部２１０の制御下にて、通知情報（文字データ）を、第１サーバ３１に送信する。
【００６２】
また通信部２２０は、ルータ４を介して、表示装置２１と通信するための通信インタフェースを含む。さらに通信部２２０は、有線によってパワーコンディショナ１０１と通信するための通信インタフェースを含む。
【００６３】
制御部２１０は、例えば、プロセッサ及びメモリを有するコンピュータシステムを有している。そして、プロセッサがメモリに格納されているプログラムを実行することにより、コンピュータシステムが制御部２１０として機能する。プロセッサが実行するプログラムは、ここではコンピュータシステムのメモリに予め記録されているが、メモリカード等の記録媒体に記録されて提供されてもよいし、インターネット等の電気通信回線を通じて提供されてもよい。
【００６４】
制御部２１０は、発電システム１００に関する発電情報、並びに、負荷１０５で消費される消費電力や、電力系統１０４からの受電電力、逆潮流電力に関する情報（買電情報、売電情報）を、自身のメモリ等に履歴として記憶する。また制御部２１０は、発電情報に基づいて、発電システム１００に関する異常の有無を監視し、異常があれば異常情報（エラーメッセージ等）を生成する。「発電システム１００に関する異常」とは、例えば、発電システム１００全体の出力の低下、及びパワーコンディショナ１０１の故障等を含み得る。「出力の低下」の要因は、太陽電池のパネルの不具合（地震等の災害や積雪によるパネルの破損等）であったりパネル上の汚れであったりパネルに対する日照量の低下（影の発生）であったりする。特に「出力の低下」は、ユーザＵ１にとっては、発電システム１００の導入によって見込まれる利益（例えば売電収益）が損なわれる問題となり得る。
【００６５】
制御部２１０は、通信部２２０から、ルータ４を介して、上述した発電情報、買電情報、売電情報、異常情報等を、表示装置２１へ定期的に送信する。発電情報等は、リアルタイムの情報、時間単位、日単位、月単位、及び年単位の情報等を含み得る。表示装置２１は、例えば液晶ディスプレイ又は有機ＥＬ（electroluminescence）ディスプレイのような薄型のディスプレイ装置である。ユーザＵ１は、表示装置２１から発電情報、買電情報、売電情報、異常情報等を随時閲覧できる。これらの情報は、文字データとして表示されてもよいし、グラフ化されたデータとして表示されてもよい。また異常情報の通知は、表示装置２１に備え付けの表示ランプ等の点灯により行われてもよい。
【００６６】
計測装置２０は、少なくとも第１サーバ３１から「入力情報が第２情報群に属する」という判定結果を、通知情報の要求信号として受信すると、発電情報に基づいて、ユーザＵ１に通知するべき通知情報（文字データ）を生成する。計測装置２０は、通知情報を音声データで生成してもよい。
【００６７】
以下、通知情報について詳しく説明する。通知情報は、発電システム１００に関する情報として、発電情報及び異常情報等の少なくとも一方を含む。また通知情報は、買電情報、及び売電情報等を更に含んでもよい。また発電情報は、発電量の実績値だけでなく発電量の予測値に関する情報も含んでもよい。具体的には、計測装置２０は、特定の期間における天気の予報情報に基づいて、特定の期間における発電システム１００の発電量を予測し、当該発電量を通知情報に含めてもよい。特定の期間は、例えば１日であり、発電量は、入力情報を取得した当日の予測値でもよいし、翌日の予測値でもよい。
【００６８】
通知情報は、単に予測値のみを含むだけでなく、予測される発電量（発電電力）の過不足に関する情報を含むことが望ましい。計測装置２０は、例えば、目標となる発電量（目標値）が設定されていれば、目標値の７５％しか達成できないという旨を、通知情報に含めてもよい。この場合、発電電力の過不足に関する情報がユーザＵ１に伝わる可能性の向上を図ることができる。通知情報の一例は、「今日の天気は、晴れです。発電量も良好です。」といった、数値を含まないメッセージであってもよい。
【００６９】
計測装置２０は、天気の予報情報を、第１サーバ３１を経由して第２サーバ３２から取得してもよいし、第１サーバ３１を経由せずに直接第２サーバ３２から取得してもよい。天気の予報情報は、第２サーバ３２から１時間毎に定期的に送信されて、制御部２１０のメモリ等にプールされてもよい。
【００７０】
ここでは計測装置２０の制御部２１０は、基本条件と、第１条件とを満たしたときに、インタフェースシステム３から出力情報として通知情報を出力させる。ただし、第１条件は、付加的な条件であり、必須の条件ではない。制御部２１０は、基本条件のみを満たせば、インタフェースシステム３から出力情報として通知情報を出力させてもよい。
【００７１】
「基本条件」は、上述の通り、判定部Ｘ１において入力情報が第２情報群に属すると判定することである。言い換えると、計測装置２０が、第１サーバ３１から「入力情報が第２情報群に属する」という判定結果を通知情報の要求信号として受信すると、基本条件は、満たされる。
【００７２】
第１条件は、インタフェースシステム３が所定の期間の中で初めて入力情報を取得することである。第１条件は、ユーザＵ１の類別に依存しない。すなわち、複数の住人のうちあるユーザＵ１が所定の期間の中で初めて音声入力を行った時には第１条件は満たされるが、その後で別のユーザＵ１が所定の期間の中で音声入力を行った時には第１条件は満たされない。言い換えると、制御部２１０は、自身のメモリ内に所定の期間内における音声入力（判定結果の受信）の回数を記憶しており、判定結果を受信する度に当該回数に１を加算する。制御部２１０は、判定結果を受信した時にその回数が２回以上であれば、通知情報を生成しない。制御部２１０は、所定の期間が終了すれば、回数をクリアする。
【００７３】
あるいは、付加的な条件として第１条件の代わりに第２条件が設定されてもよい。第２条件は、判定部Ｘ１が所定の期間の中で初めて入力情報が第２情報群に属すると判定することである。
【００７４】
上述した所定の期間は、例えば１日であり、所定の期間の始まりは当日０時であることを想定するが、特に限定されず、１週間、又は１ヶ月でもよい。計測装置２０は、インタフェースシステム３が入力情報を取得したタイムスタンプを第１サーバ３１から受信している。制御部２１０は、タイムスタンプと自身に内蔵されるタイマとに基づいて、第１条件（又は第２条件）に関する判定を行う。
【００７５】
第１条件（又は第２条件）が満たされず、通知情報を出力しないことが決定されると、計測装置２０は、その旨を第１サーバ３１に送信する。第１サーバ３１は、応答情報だけを、ユーザインタフェース３０から出力させる。
【００７６】
ところで、計測装置２０は、インタフェースシステム３から、識別部３１１におけるユーザＵ１に関する識別結果も受信している。そして、計測装置２０は、その識別結果に応じて、インタフェースシステム３から通知情報を出力させるか否かを決定するように構成されている。
【００７７】
具体的には、計測装置２０は、その識別結果が例えば通知情報の通知の非対象者に該当すれば、インタフェースシステム３から通知情報を出力させない。例えば、住人の親が、子供や高齢者を非対象者として登録を希望する場合がある。計測装置２０は、第１サーバ３１側にて音声入力に基づき登録されている住人リストを受信して、当該リストを表示装置２１に表示させて、（後述する）設定部Ｘ２により非対象者を選択できてもよい。この場合、ユーザＵ１の類別によっては、通知情報の出力を行わないといったことが可能となる。
【００７８】
また第１条件の代わりに、特定条件が付加的な条件として設定されてもよい。制御部２１０は、基本条件と、特定条件とを満たしたときに、インタフェースシステム３から出力情報として通知情報を出力させてもよい。
【００７９】
特定条件は、インタフェースシステム３の識別部３１１における識別結果に基づき、ユーザＵ１から規定の期間の中で初めて入力情報を取得したと判断されることである。具体的には、例えば、複数の住人のうちあるユーザＵ１が、規定の期間の中で初めて音声入力を行うと、特定条件は満たされるが、同じユーザＵ１がその規定の期間の中で再び音声入力を行っても、２回目以降は、特定条件は満たされない。一方、別のユーザＵ１が、規定の期間の中で初めて音声入力を行うと、特定条件は満たされる。規定の期間は、所定の期間と同様に、例えば１日であり、規定の期間の始まりは当日０時であることを想定するが、特に限定されず、１週間、又は１ヶ月でもよい。特定条件を設定することで、同じユーザＵ１が、入力情報に対して関連性の低い通知情報を規定の期間内に何度も受け取るといった状況を低減することができる。
【００８０】
制御部２１０は、図２Ａに示すように、設定部Ｘ２を有している。言い換えると、制御部２１０は、設定部Ｘ２としての機能を有している。設定部Ｘ２は、通知情報に関する設定を受け付けるように構成されている。例えば、表示装置２１が、タッチパネル型のディスプレイであれば、設定部Ｘ２は、表示装置２１に対する操作入力に基づいて、通知情報に関する設定を行なってもよい。ユーザＵ１（又は施工者等でもよい）は、例えば、表示装置２１に表示される設定画面上にて、タッチ操作により、通知情報として含めるべき情報の種類及び通知の非対象者の選択が可能であることが望ましい。またユーザＵ１は、上述した第１条件や第２条件、特定条件の選択も、設定画面上にて可能であることが望ましい。表示装置２１は、設定画面上で選択された情報を、ルータ４を介して、計測装置２０へ送信する。設定部Ｘ２は、当該選択された情報を、制御部２１０のメモリに記憶する。
【００８１】
このように設定部Ｘ２が設けられていることで、ユーザＵ１の要望又は設置環境に応じて、通知情報に関する設定を適宜に行うことができる。
【００８２】
（２．５）通知情報の階層構造
ところで、ユーザインタフェース３０（スマートスピーカ）を利用するユーザＵ１にとっては、ユーザインタフェース３０との対話により返ってくる応答情報と併せて通知情報が出力されると、不快に感じる可能性がある。例えば、ユーザＵ１が音楽や動画の再生要求、又はＩｏＴ機器の制御要求を行った場合に、通知情報が出力されると、不快に感じる可能性が高い。
【００８３】
したがって、第２情報群に含まれる用語の範囲は、「おはよう」、「おやすみ」等の日常会話に相当する用語や、待機状態から稼働状態に切り替えるための特定のキーワード、天気予報やニュースの読み上げ要求に関する用語に限定されることが望ましい。
【００８４】
また応答情報と併せて出力される通知情報が、例えば「今日の予測発電量は○○ｋＷｈです」又は「太陽電池の出力が低下しています」といった具体的な内容であると、ユーザＵ１が不快に感じる可能性がある。
【００８５】
そこで、通知情報は、階層化された情報であり、少なくとも上位情報と下位情報とを含むことが望ましい。上位情報は、下位情報に比べて、情報量（例えばデータ長）が少ないことが望ましい。上位情報は、例えば「電力に関するお知らせがあります」というメッセージを含む。緊急性のある異常情報が存在する場合には、上位情報は、例えば「電力に関する重要なお知らせがあります」というメッセージを含んでもよい。下位情報は、例えば「今日の予測発電量は○○ｋＷｈです」又は「太陽電池の出力が低下しています」等というメッセージを含む。通知情報は、上位情報と下位情報との中間概念に相当する１又は複数の中位情報を更に含んでもよい。
【００８６】
電力情報システム２は、判定部Ｘ１において入力情報が第２情報群に属すると判定すると、インタフェースシステム３から上位情報を出力させる。そして、ユーザＵ１が、上位情報に関心を寄せて、更なる通知情報の要求をユーザインタフェース３０に発声すると、第１サーバ３１は、ユーザＵ１から上位情報に対する要求があった旨を、計測装置２０に送信する。そして、電力情報システム２は、インタフェースシステム３から下位情報を出力させる。なお、一定時間が経過しても、ユーザＵ１から上位情報に対する要求が無ければ、下位情報は、破棄されてもよいし、プールされてもよい。下位情報が、緊急性のあるメッセージを含む場合には、プールされて、例えば翌日以降に再び入力情報が第２情報群に属すると判定した場合に、通知情報として出力されることが望ましい。
【００８７】
このように通知情報が階層化された情報であることで、ユーザＵ１にとっては入力情報に対して関連性の低い通知情報を、段階的に知ることができ、利便性が向上される。
【００８８】
（２．６）動作
以下、電力管理システム１の動作について、図３を参照しながら簡単に説明する。ここでは一例として、入力情報は、「おはよう」とする。またユーザＵ１の識別については説明を省略する。
【００８９】
ユーザＵ１が、ユーザインタフェース３０（図３ではユーザＩ／Ｆ）に対して「おはよう」と話しかける（ステップＳ１）。ユーザインタフェース３０は、入力情報を録音して（ステップＳ２）、第１サーバ３１に送信する（ステップＳ３）。
【００９０】
第１サーバ３１は、ユーザＵ１の入力情報に対して、人工知能により自然言語理解処理を行う（ステップＳ４）。第１サーバ３１は、「おはよう」が電力を連想させる用語を含んでいないことから、入力情報が第２情報群に属すると判定する（判定処理：ステップＳ５）。第１サーバ３１は、通知情報の要求信号を、計測装置２０に送信する（ステップＳ６）。
【００９１】
計測装置２０は、要求信号を受信すると、基本条件と第１条件（所定の期間の中で初めて入力情報を取得）とを満たしているか判定する（条件判定：ステップＳ７）。この動作例では、ユーザＵ１が、１日のうちで初めてユーザインタフェース３０に話しかけたため、基本条件と、第１条件とは満たされる。計測装置２０は、要求信号に応じて、「電力に関するお知らせがあります」というメッセージの通知情報（文字データ）を生成して送信する（ステップＳ８）。
【００９２】
一方、第１サーバ３１は、入力情報に対する最適解を求める（ステップＳ９）。第１サーバ３１は、最適解として、例えば、あいさつに対する返信、及び今日の主要ニュースを選択するかもしれない。第１サーバ３１は、応答する応答情報として「おはようございます、今日のニュースは・・・」という音声メッセージの応答情報を生成する。
【００９３】
第１サーバ３１は、通知情報を音声データに変換し、応答情報と併せてユーザインタフェース３０に送信する。ユーザインタフェース３０は、応答情報及び通知情報を音声出力する。
【００９４】
このように本実施形態においては、入力情報（例えば「おはよう」）が、発電システム１００に関連する第１情報群以外の第２情報群に属する場合に、入力情報の取得をトリガーとして通知情報が出力される。したがって、発電システム１００に関する情報がユーザＵ１に伝わる可能性の向上を図ることができる。
【００９５】
特に、本実施形態では、特許文献１とは異なり、ユーザＵ１からの入力情報をトリガーとして通知情報を出力する、能動型の通知を実現している。つまり、特許文献１では、モニター装置から一方的に発電システムに関する情報を通知しているのみである。一方、本実施形態では、ユーザＵ１からの能動的な行動である発声（音声入力）と連動して、発電システム１００に関する通知情報を出力するため、通知情報が出力された時点で、ユーザＵ１がユーザインタフェース３０の傍に居る可能性が高い。したがって、ユーザＵ１は、発電システム１００に関する情報の中でも、太陽電池の故障や出力低下等のネガディブな情報を、より速やかに知り得る。その結果、発電システム１００の保守性も向上される。
【００９６】
また第１条件（又は第２条件）を満たしたときに、通知情報が出力されるため、ユーザＵ１にとっては入力情報に対して関連性の低い通知情報を、所定の期間内に何度も受け取るといった状況を低減することができる。
【００９７】
またインタフェースシステム３は、入力情報に応答する応答情報と、通知情報との両方を、出力情報として出力する。そのため、ユーザＵ１にとっては本来的な入力情報に応答する応答情報を知ることができ、その上で、発電システム１００に関する情報がユーザＵ１に伝わる可能性の向上を図ることができる。
【００９８】
さらにユーザインタフェース３０が、ユーザＵ１からの音声入力を入力情報として取得する取得部３００と、通知情報を出力情報として音声出力する出力部３０１と、を有している。そのため、ユーザＵ１にとっては、音声により入力を行うことができ、また音声により通知情報を受け取ることができるため、インタフェースシステム３の利便性が向上される。また例えば、比較的安価なスマートスピーカを、インタフェースシステム３の構成要素の１つとして利用できる。
【００９９】
（３）変形例
上記実施形態は、本開示の様々な実施形態の一つに過ぎない。上記実施形態は、本開示の目的を達成できれば、設計等に応じて種々の変更が可能である。また、上記実施形態に係る電力管理システム１と同様の機能は、電力管理システム１の制御方法、コンピュータプログラム、又はコンピュータプログラムを記録した非一時的記録媒体等で具現化されてもよい。
【０１００】
以下、上記実施形態の変形例を列挙する。以下に説明する変形例は、適宜組み合わせて適用可能である。以下では、上記実施形態を「基本例」と呼ぶこともある。
【０１０１】
本開示の電力管理システム１における、計測装置２０の制御部２１０、ユーザインタフェース３０の制御部３０２、及び第１サーバ３１の制御部３１０は、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における制御部２１０、制御部３０２、及び制御部３１０としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、１以上のプロセッサ及び１以上のメモリを有するマイクロコントローラを含む。したがって、マイクロコントローラについても、半導体集積回路又は大規模集積回路を含む１ないし複数の電子回路で構成される。
【０１０２】
また、計測装置２０、ユーザインタフェース３０及び第１サーバ３１の各々における複数の機能が、１つの筐体内に集約されていることは、これらに必須の構成ではない。計測装置２０、ユーザインタフェース３０及び第１サーバ３１の各々の構成要素は、複数の筐体に分散して設けられていてもよい。さらに、計測装置２０の少なくとも一部の機能、例えば、計測装置２０の一部の機能がクラウド（クラウドコンピューティング）等によって実現されてもよい。反対に、基本例のように、計測装置２０の複数の機能が１つの筐体内に集約されてもよい。
【０１０３】
（３．１）変形例１
以下、電力管理システム１の本変形例（変形例１）について、図４及び図５を参照しながら説明する。ただし、基本例の電力管理システム１と共通する構成要素については同じ参照符号を付して、適宜にその説明を省略する。
【０１０４】
基本例のインタフェースシステム３は、スマートスピーカであるユーザインタフェース３０を有していた。変形例１のインタフェースシステム３は、図４に示すように、ユーザインタフェース３０の代わりに、ユーザインタフェース３０Ａを有している点で基本例と異なる。ユーザインタフェース３０Ａは、インターネット接続可能なテレビジョン受信機（スマートテレビ）である。
【０１０５】
ユーザインタフェース３０Ａは、図５に示すように、取得部３０５と、表示部３０６と、制御部３０７と、通信部３０８と、を有している。
【０１０６】
取得部３０５は、ユーザＵ１からの所定の操作入力を入力情報として取得する。取得部３０５は、例えば、リモートコントローラからの赤外線信号（制御信号）を受光する受光部である。表示部３０６は、通知情報を出力情報として表示する液晶画面である。
【０１０７】
制御部３０７は、例えば、プロセッサ及びメモリを有するコンピュータシステムを有している。そして、プロセッサがメモリに格納されているプログラムを実行することにより、コンピュータシステムが制御部３０７として機能する。プロセッサが実行するプログラムは、ここではコンピュータシステムのメモリに予め記録されているが、メモリカード等の記録媒体に記録されて提供されてもよいし、インターネット等の電気通信回線を通じて提供されてもよい。
【０１０８】
通信部３０８は、ルータ４を介して、インタフェースシステム３の第１サーバ３１と通信するための通信インタフェースを含む。
【０１０９】
例えば、ユーザＵ１がリモートコントローラを用いて、待機状態中のユーザインタフェース３０Ａの電源をオンするための所定の操作入力を行うと、ユーザインタフェース３０Ａは、電源をオンする一方で、その操作入力を入力情報として取得する。
【０１１０】
ユーザインタフェース３０Ａは、ルータ４を介して、第１サーバ３１に入力情報を送信する。第１サーバ３１は、入力情報が、ユーザインタフェース３０Ａの起動に関する制御情報であるため、第２情報群に属すると判定し、計測装置２０に、通知情報の要求信号を送信する。第１サーバ３１は、計測装置２０から通知情報を受信すると、ユーザインタフェース３０Ａの表示部３０６に表示中の情報画面上に、通知情報を文字データとして通知する。
【０１１１】
この変形例１の構成によれば、ユーザＵ１にとっては、操作により入力を行うことができ、また表示部３０６への表示により通知情報を受け取ることができるため、インタフェースシステム３の利便性が向上される。特に、例えばスマートテレビを、インタフェースシステム３の構成要素の１つとして利用できる。
【０１１２】
（３．２）その他の変形例
基本例では、計測装置２０は、ルータ４を介して第１サーバ３１と通信しているが、ルータ４を介してユーザインタフェース３０（又は変形例１のユーザインタフェース３１Ａ）と通信してもよい。例えば、計測装置２０は、通知情報の要求信号を第１サーバ３１から受信する一方で、生成した通知情報を、第１サーバ３１を経由せずに直接ユーザインタフェース３０に送信してもよい。
【０１１３】
基本例では、基本条件、第１条件、第２条件及び特定条件に関する条件判定の機能が、計測装置２０の制御部２１０に設けられているが、判定部Ｘ１の機能と同様に第１サーバ３１の制御部３１０に設けられてもよい。
【０１１４】
また基本例では、判定部Ｘ１の機能が第１サーバ３１の制御部３１０に設けられているが、判定部Ｘ１の機能は、電力情報システム２に設けられてもよい。例えば、計測装置２０の制御部２１０が、判定部Ｘ１を有してもよい。この場合、計測装置２０は、例えば、入力情報を、第１サーバ３１を経由せずに直接ユーザインタフェース３０から受信してもよい。
【０１１５】
基本例では、計測装置２０が、発電量、受電量、買電量、売電量等の電力量の計測を行なっているが、これらの情報の少なくとも一部を外部機器から取得してもよい。例えば、施設２００内に、複数の負荷１０５を管理するための制御機器、いわゆるＨＥＭＳ（Home Energy Management System）コントローラが、設けられている場合には、計測装置２０は、ＨＥＭＳコントローラから電力量に関する情報を取得してもよい。あるいは、ＨＥＭＳコントローラが、電力情報システム２の構成要素の１つであり、ルータ４を介して第１サーバ３１からの通知情報の要求信号を受信したり、通知情報を生成して第１サーバ３１に送信したりしてもよい。
【０１１６】
基本例では、識別部３１１は、ユーザインタフェース３０から入力された音声に基づいてユーザＵ１を識別する。しかし、ユーザインタフェース３０は、カメラを有して、カメラで撮像された画像に基づいてユーザＵ１を識別してもよい。
【０１１７】
基本例では、ユーザインタフェース３０と計測装置２０とが別体となっているが、一体となってもよい。例えば、計測装置２０が、ユーザインタフェース３０における取得部３００の機能と出力部３０１の機能とを有してもよい。
【０１１８】
（４）利点
以上説明したように、第１の態様に係る電力管理システム（１）は、電力情報システム（２）と、インタフェースシステム（３）と、を備える。電力情報システム（２）は、電力を出力可能な発電システム（１００）における当該電力に関する通知情報を生成する。インタフェースシステム（３）は、ユーザ（Ｕ１）から入力情報を取得し、かつ当該入力情報の取得をトリガーとして出力情報を出力する。電力情報システム（２）は、インタフェースシステム（３）と通信可能に接続される。電力情報システム（２）又はインタフェースシステム（３）は、入力情報が、発電システム（１００）に関連する第１情報群に属するか、当該第１情報群以外の第２情報群に属するかを判定する判定部（Ｘ１）を有する。電力情報システム（２）は、少なくとも判定部（Ｘ１）において入力情報が第２情報群に属すると判定すると、インタフェースシステム（３）から出力情報として通知情報を出力させる。第１の態様によれば、入力情報が、発電システム（１００）に関連する第１情報群以外の第２情報群に属する場合に、入力情報の取得をトリガーとして通知情報が出力される。したがって、発電システム（１００）に関する情報がユーザ（Ｕ１）に伝わる可能性の向上を図ることができる。
【０１１９】
第２の態様に係る電力管理システム（１）に関して、第１の態様において、電力情報システム（２）は、以下の通りであることが好ましい。すなわち、電力情報システム（２）は、入力情報が第２情報群に属し、かつ、第１条件及び第２条件のいずれかを満たした場合に、インタフェースシステム（３）から通知情報を出力させることが好ましい。第１条件は、インタフェースシステム（３）が所定の期間の中で初めて入力情報を取得することである。第２条件は、判定部（Ｘ１）が所定の期間の中で初めて入力情報が第２情報群に属すると判定することである。第２の態様によれば、ユーザ（Ｕ１）にとっては入力情報に対して関連性の低い通知情報を所定の期間内に何度も受け取るといった状況を低減することができる。
【０１２０】
第３の態様に係る電力管理システム（１）に関して、第１の態様又は第２の態様において、電力情報システム（２）は、特定の期間における天気の予報情報に基づいて、特定の期間における発電システム（１００）の発電電力を予測することが好ましい。通知情報は、予測される発電電力の過不足に関する情報を含むことが好ましい。第３の態様によれば、発電電力の過不足に関する情報がユーザ（Ｕ１）に伝わる可能性の向上を図ることができる。
【０１２１】
第４の態様に係る電力管理システム（１）に関して、第１〜第３の態様のいずれか１つにおいて、インタフェースシステム（３）は、ユーザ（Ｕ１）を識別する識別部（３１１）を有することが好ましい。電力情報システム（２）は、識別部（３１１）におけるユーザ（Ｕ１）に関する識別結果に応じて、インタフェースシステム（３）から通知情報を出力させるか否かを決定することが好ましい。第４の態様によれば、例えば、ユーザ（Ｕ１）の類別（例えば子供等）によっては、通知情報の出力を行わないといったことが可能となる。
【０１２２】
第５の態様に係る電力管理システム（１）に関して、第４の態様において、電力情報システム（２）は、入力情報が第２情報群に属し、かつ、特定条件を満たした場合に、インタフェースシステム（３）から通知情報を出力させることが好ましい。特定条件は、識別結果に基づき、ユーザ（Ｕ１）から規定の期間の中で初めて入力情報を取得したと判断されることである。第５の態様によれば、同じユーザ（Ｕ１）が、入力情報に対して関連性の低い通知情報を規定の期間内に何度も受け取るといった状況を低減することができる。
【０１２３】
第６の態様に係る電力管理システム（１）に関して、第１〜第５の態様のいずれか１つにおいて、インタフェースシステム（３）は、取得部（３００）と、出力部（３０１）と、を有することが好ましい。取得部（３００）は、ユーザ（Ｕ１）からの音声入力を入力情報として取得する。出力部（３０１）は、通知情報を出力情報として音声出力する。第６の態様によれば、ユーザ（Ｕ１）にとっては、音声により入力を行うことができ、また音声により通知情報を受け取ることができるため、インタフェースシステム（３）の利便性が向上される。特に、例えば、比較的安価なスマートスピーカを、インタフェースシステム（３）の構成要素の１つとして利用できる。
【０１２４】
第７の態様に係る電力管理システム（１）に関して、第１〜第５の態様のいずれか１つにおいて、インタフェースシステム（３）は、取得部（３０５）と、表示部（３０６）と、を有することが好ましい。取得部（３０５）は、ユーザ（Ｕ１）からの所定の操作入力を入力情報として取得する。表示部（３０６）は、通知情報を出力情報として表示する。第７の態様によれば、ユーザ（Ｕ１）にとっては、操作により入力を行うことができ、また表示部（３０６）への表示により通知情報を受け取ることができるため、インタフェースシステム（３）の利便性が向上される。特に、例えばスマートテレビを、インタフェースシステム（３）の構成要素の１つとして利用できる。
【０１２５】
第８の態様に係る電力管理システム（１）に関して、第１〜第７の態様のいずれか１つにおいて、インタフェースシステム（３）は、入力情報に応答する応答情報と、通知情報との両方を、出力情報として出力することが好ましい。第８の態様によれば、ユーザ（Ｕ１）にとっては本来的な入力情報に応答する応答情報を知ることができ、その上で、発電システム（１００）に関する情報がユーザ（Ｕ１）に伝わる可能性の向上を図ることができる。
【０１２６】
第９の態様に係る電力管理システム（１）に関して、第１〜第８の態様のいずれか１つにおいて、通知情報は、階層化された情報であり、少なくとも上位情報と下位情報とを含むことが好ましい。電力情報システム（２）は、判定部（Ｘ１）において入力情報が第２情報群に属すると判定すると、インタフェースシステム（３）から上位情報を出力させる。また電力情報システム（２）は、ユーザ（Ｕ１）から上位情報に対する要求を受けると、インタフェースシステム（３）から下位情報を出力させる。第９の態様によれば、ユーザ（Ｕ１）にとっては入力情報に対して関連性の低い通知情報を、段階的に知ることができる。したがって、利便性が向上される。
【０１２７】
第１０の態様に係る電力管理システム（１）に関して、第１〜第９の態様のいずれか１つにおいて、電力情報システム（２）は、通知情報に関する設定を受け付ける設定部（Ｘ２）を有することが好ましい。第１０の態様によれば、ユーザ（Ｕ１）の要望又は設置環境に応じて、通知情報に関する設定を適宜に行うことができる。
【０１２８】
第１１の態様に係る電力情報システム（２）は、第１〜第１０の態様のいずれか１つにおける電力管理システム（１）に適用される。電力情報システム（２）は、判定部（Ｘ１）を有し、かつ、入力情報をインタフェースシステム（３）から受信する。第１１の態様によれば、インタフェースシステム（３）側の構成を簡素化することができる。
【０１２９】
第１２の態様に係るインタフェースシステム（３）は、第１〜第１０の態様のいずれか１つにおける電力管理システム（１）に適用される。インタフェースシステム（３）は、判定部（Ｘ１）を有し、かつ、通知情報を要求する要求信号を電力情報システム（２）に送信する。第１２の態様によれば、電力情報システム（２）側の構成を簡素化することができる。
【０１３０】
第１３の態様に係る制御方法は、電力管理システム（１）の制御方法である。制御方法は、生成ステップと、取得ステップと、出力ステップと、判定ステップと、を有する。生成ステップにて、電力を出力可能な発電システム（１００）における電力に関する通知情報を生成する。取得ステップにて、ユーザ（Ｕ１）から入力情報を取得する。出力ステップにて、入力情報の取得をトリガーとして出力情報を出力する。判定ステップにて、入力情報が、発電システム（１００）に関連する第１情報群に属するか、当該第１情報群以外の第２情報群に属するかを判定する。少なくとも判定ステップにおいて入力情報が第２情報群に属すると判定すると、出力ステップにおいて出力情報として通知情報を出力する。第１３の態様によれば、発電システム（１００）に関する情報がユーザ（Ｕ１）に伝わる可能性の向上を図ることが可能な制御方法を提供できる。
【０１３１】
第１４の態様に係るプログラムは、コンピュータシステムに第１３の態様における制御方法を実行させる。第１４の態様によれば、発電システム（１００）に関する情報がユーザ（Ｕ１）に伝わる可能性の向上を図ることが可能な機能を提供できる。
【０１３２】
第２〜１０の態様に係る構成については、電力管理システム（１）に必須の構成ではなく、適宜省略可能である。
【符号の説明】
【０１３３】
１  電力管理システム
２  電力情報システム
３  インタフェースシステム
３００  取得部
３０１  出力部
３０５  取得部
３０６  表示部
３１１  識別部
１００  発電システム
Ｕ１  ユーザ
Ｘ１  判定部
Ｘ２  設定部
【図１】
2020089241.tif 000003
【図２】
2020089241.tif 000004
【図３】
2020089241.tif 000005
【図４】
2020089241.tif 000006
【図５】
2020089241.tif 000007